(57)【要約】      （修正有）【課題】反射の起こしにくい、アイシャドウを塗り易くする二重瞼形成用シートを提供する。【解決手段】セパレータ材１と、セパレータ材上に並んで、剥離可能な状態で貼付される細長帯状二重瞼形成ピースとを備え、二重瞼形成ピースは、セパレータ材に近い側に配置される第一粘着剤層３と、セパレータ材から離れた側に配置されるベースフィルム４と、ベースフィルム層を覆うカバーフィルム５を備え、ベースフィルムのセパレータ材から離れた側の表面に印刷によって形成された凸起の印刷パターン６が設けられ、印刷パターンとカバーフィルムとは第二粘着剤層７によって接着される。【選択図】図２
0003217313.tif 000002
【実用新案登録請求の範囲】
【請求項１】
セパレータ材と、前記セパレータ材上に並んで、剥離可能な状態で貼付される細長帯状の二重瞼形成ピースとを備え、
前記二重瞼形成ピースは、前記セパレータ材に近い側に配置される第一粘着剤層と、
前記セパレータから離れた側に配置さるベースフィルムと、
前記ベースフィルム層を覆うカバーフィルムを備え、
前記ベースフィルムの前記セパレータ材から離れた側の表面に、印刷によって形成された凸起する印刷パターンが設けられ、前記印刷パターンと前記カバーフィルムとは第二粘着剤層によって接着されることを特徴とする二重瞼形成用シート。
【請求項２】
前記印刷パターンの前記カバーフィルムと隣接する側に、肌色に近いカラー隠れ層が印刷によって形成されることを特徴とする請求項１に記載の二重瞼形成用シート。
【請求項３】
前記カラー隠れ層の色はブラウン、ベージュ、カーキ、グレーまたは褐色のいずれか一つであることを特徴とする請求項２に記載の二重瞼形成用シート。
【請求項４】
前記印刷パターンの網目全体は、三角形、多角形または円形のうちの１つまたは複数で形成されることを特徴とする請求項１〜請求項３うち、いずれに記載の二重瞼形成用シート。
【請求項５】
前記印刷パターンの網目全体が楕円形であり、前記印刷パターンの網目の長手方向は前記二重瞼形成ピースの長手方向と一致することを特徴とする請求項１〜３のいずれか１項に記載の二重瞼形成用シート。
【請求項６】
前記印刷パターンの網目において、一つあたりの面積は０．５〜１．０ｍｍ２であり、前記印刷パターンの線幅は０．１〜０．２ｍｍであることを特徴とする請求項４に記載の二重瞼形成用シート。
【請求項７】
前記二重瞼形成ピース全体は楕円形、三日月形、逆台形、またはストレート形状の少なくとも１種の形状で設置され、前記二重瞼形成ピースの両端を丸みにすることを特徴とする請求項１〜３のいずれか１項に記載の二重瞼形成用シート。
【請求項８】
前記セパレータ材の表面において、前記二重瞼形成ピースの形と大きさに合わせた位置決め溝が設けられ、前記位置決め溝の深さは二重瞼形成ピースの厚みより小さくて、前記二重瞼形成ピースを位置決め溝の中に設置する特徴とする請求項１〜３のいずれか１項に記載の二重瞼形成用シート。
【請求項９】
前記二重瞼形成ピースの厚さが中央から周辺に向かって減少させるように構成されることを特徴とする請求項１〜３のいずれか１項に記載の二重瞼形成用シート。
【請求項１０】
前記二重瞼形成ピースの長さは１６〜２７ｍｍ、幅は２〜３ｍｍ、前記セパレータ材の厚みは０．０７〜０．０９ｍｍ、前記二重瞼形成ピースの厚みは０．０９〜０．１１ｍｍであることを特徴とする請求項１〜３のいずれか１項に記載の二重瞼形成用シート。
【考案の詳細な説明】
【技術分野】
【０００１】
本考案は、コスメ及び美容分野においての二重瞼形成用シートに関するものである。
【背景技術】
【０００２】
二重瞼テープは、二重瞼を形成するための化粧道具であり、二重まぶた形成用粘着液から進化してきたものである。通常、一重まぶたを持つ人を対象として販売されている。使用する際に、二重瞼テープをまぶた表面に貼り付けることで一重まぶたを二重まぶたに形成する。また、奥二重まぶたをくっきりと自然な二重まぶたに形成することもできる。二重瞼テープを貼り付けた後、その二重瞼テープをカバーするようにアイシャドウを塗り、二重瞼テープが隠された状態で美容効果を図る。
【０００３】
従来の技術では、二重瞼テープを台紙状のセパレータ材に貼付けて、二重瞼貼付け用シートを形成する。例えば、中国考案第２０５６１２０２２Ｕ号公報に記載された二重瞼形成用シートは、台紙状のフィルム面及び順次に配設された両面粘着テープ、印刷層、保護シートから構成され、この両面粘着テープの一面は台紙状のフィルム面に貼り付けられており、保護シートは防水素材から作成されている。
【０００４】
ところが、上述の従来技術の実用新案に開示された二重瞼テープのようなものには、表面は滑らかで防水性のある材料で作られているため、以下のような欠点が存在する。
欠点１：反射を起こしやすく、二重瞼テープは目立つようになってしまう。
欠点２：アイシャドウは二重瞼テープに容易に付着できない、すなわち、アイシャドウは塗り難くため、二重瞼テープは隠されにくい。
【先行技術文献】
【特許文献】
【０００５】
【特許文献１】中国考案第２０５６１２０２２Ｕ号公報
【考案の概要】
【考案が解決しようとする課題】
【０００６】
本考案は、反射の起こしにくい、アイシャドウを塗り易くする二重瞼形成用シートを提供することを目的とする。
【課題を解決するための手段】
【０００７】
本考案の二重瞼形成用シートは、セパレータ材と、前記セパレータ材上に並んで、剥離可能な状態で貼付される細長帯状の二重瞼形成ピースとを備え、
前記二重瞼形成ピースは、前記セパレータ材に近い側に配置される第一粘着剤層と、
前記セパレータから離れた側に配置さるベースフィルムと、
前記ベースフィルム層を覆うカバーフィルムを備え、
前記ベースフィルムの前記セパレータ材から離れた側の表面に、印刷によって形成された凸起する印刷パターンが設けられ、前記印刷パターンと前記カバーフィルムとは第二粘着剤層によって接着されている。
【考案の効果】
【０００８】
本考案の二重瞼形成用シートによれば、ベースフィルムとカバーフィルムとは、印刷によって形成されたベースフィルムから凸起する印刷パターンによって接合されることで、カバーフィルムの表面に網状の紋様が形成され、アイシャドウの塗布は便利になるとともに、二重瞼テープにおいての表面反射を減少できるため、二重瞼テープのインビジブル性が良く、見た目もきれいになる効果を有する。
具体的には、本考案はセパレータ材と、剥離可能な状態で前記セパレータ材に貼付される細長い帯状の二重瞼形成ピースとを有する二重瞼形成用シートを提供する。さらに、この二重瞼形成ピースは、セパレータ材に近い側に配置された第一粘着剤層と、第一粘着剤層のセパレータ材から離れた側に配置されたベースフィルムと、ベースフィルムを覆うカバーフィルムとを有する。ベースフィルムのセパレータ材から離れた側の表面に印刷によって形成された凸起の印刷パターンが施されている。この印刷パターンとカバーフィルムは第二粘着剤層による接着されている。
本考案に係る二重瞼形成用シートは、従来品と比べると、ベースフィルムとカバーフィルムの間は、ベースフィルムから凸起する印刷パターンよって連接されるため、使用する際に、カバーフィルムを軽く押圧することで、カバーフィルムの外表面にも網状の紋様が形成され、アイシャドウの塗布は便利になるとともに、アイメイクでテープのインビジブル性が良くなる。また、ベースフィルムの外表面は押圧することで網状の紋様が形成されるため、表面のわずかな凸凹より二重瞼形成ピースにおいての反射を減少し二重瞼テープのインビジブル性が良くなる上に、見た目もきれいになる。
また、前記印刷パターンの前記カバーフィルムと隣接する側に、肌色に近いカラー隠れ層が印刷されることが好ましい。
肌色に近いカラー隠れ層を設けることで、アイシャドウを使用しない場合でも、インビジブル性を有する。
さらに、前記カラー隠れ層の色はブラウン、ベージュ、カーキ、グレーまたは褐色のいずれが好ましい。
さらに、前記印刷パターンの網目全体は、三角形、多角形または円形のうちの１種または複数種で形成されることが好ましい。
また、前記印刷パターンの網目全体が楕円形であり、前述印刷パターンの網目の長手方向は二重瞼形成ピースの長手方向と一致することが好ましい。
前述印刷パターンの網目は楕円形で、その長手方向は二重瞼形成ピースの長手方向と一致して設置することで、二重瞼形成ピースを上瞼の皮膚上に貼付ける時に、印刷パターンの網目の形状は皮膚表面における紋様と最も相似しているため、二重瞼形成ピースのインビジブル性はよりよいものである。
また、前記印刷パターンの網目において、一つあたりの面積は０．５〜１．０ｍｍ２であり、前記印刷パターンの線幅は０．１〜０．２ｍｍであることが好ましい。その場合、印刷パターンの網目の大きさは皮膚表面における紋様の大きさに最も近いため、二重瞼形成ピースのインビジブル性はより向上される。
また、前記二重瞼形成ピース全体は楕円形、三日月形、逆台形、またはストレート形状のいずれか一つであり、前記二重瞼形成ピースの両端を丸みにすることが好ましい。
二重瞼形成ピースの形を考案することより、目の形状に合わせて適切な形を選択することができ、高い適用性と柔軟性を備える。前記二重瞼形成ピースの両端を丸みにすることで、簡単に装着できるとともに、装着して使用中に、両端が浮いていくのを防ぎ、剥がれ難くなる効果も有する。
また、セパレータ材には、前記二重瞼形成ピースの形と大きさに合わせた位置決め溝が設けられ、前記位置決め溝の深さは前記二重瞼形成ピースの厚みより浅いことが好ましい。
このような位置決め溝を設けることにより、包装や保管は便利になる同時に、セパレータ材の上における二重瞼形成ピースのシフトを防ぎ、さらに、第１粘着剤層と埃との接触を防止して第１粘着剤層の粘着性を確保でき、二重瞼形成ピースを無駄にするのを避けられる効果を有する。
また、前記二重瞼形成ピースの厚さは、中央から周辺に向かって薄くなるように設けられることが好ましい。
前記二重瞼形成ピースの厚さが中央から周辺に向かって減少させることにより、二重瞼形成ピースの両端が浮いていくのを防ぎ、上瞼から剥がれ難くなる。また、二重瞼形成ピースの瞼においての違和感を軽減でき、アイシャドウの塗布は便利になる。それによって、二重瞼形成ピースのインビジブル性は向上される。
また、前記二重瞼形成ピースの長さは１６〜２７ｍｍ、幅は２〜３ｍｍ、前記セパレータ材の厚さは０．０７〜０．０９ｍｍ、前記二重瞼形成ピースの厚さは０．０９〜１１ｍｍであることが好ましい。
この場合、本考案においての二重瞼形成ピースは、人々の瞼のさまざまなサイズに応じて、それぞれ適合することができ、高い適用性と実用性を有する。
【図面の簡単な説明】
【０００９】
【図１】図１は、本考案に係る二重瞼形成用シートの第１実施形態を示す概略的な正面図である。
【図２】図２は、図１に示すテープの断面図である。
【図３】図３は、図１に示すテープから外部フィルムと第二粘着剤層を取り除いた正面拡大図である。
【図４】図４は、本考案に係る二重瞼形成用シートの第２実施形態を示す断面図である。
【図５】図５は、本考案に係る二重瞼形成用シートの第３実施形態を示す概略的な正面図である。
【図６】図６は、本考案に係る二重瞼形成用シートの第４実施形態を示す概略的な正面図である。
【図７】図７は、本考案に係る二重瞼形成用シートの第４実施形態を示す断面図である。
【図８】図８は、本考案に係る二重瞼形成用シートの第５実施形態を示す断面図である。
【考案を実施するための形態】
【００１０】
以下、本考案の実施形態について図面を用いて説明する。図面においては、二重瞼形成用シート等の概略的な構造を示す。
本考案の説明において、「上」、「下」、「前」、「後」、「左」、「右」、「頂」、「底」、「内側」、「外側」等の用語により示された方向又は相対位置の関係は、係る装置または構成要素が特定の方向位置を有する、あるいは特定の方向位置で形成または動作するのを示すものではない。あくまでも説明の便宜上、図面に基づくものである。そのため、それらを本考案に対しての限定として理解すべきではない。
【００１１】
（第１実施形態）
図１〜図３は本考案に係わる二重瞼形成用シートの第１実施形態を示している。図１に示すように、本実施形態に係わる二重瞼形成用シートはセパレータ材１と、セパレータ１材の上面に並んで、剥離可能な状態で貼付されている複数な細長帯状二重瞼形成ピース２を有する。使用する際に、二重瞼形成ピース２をセパレータ材１より摘み剥がし、上瞼に貼着する。本実施形態における、二重瞼形成ピース２の全体は人の上瞼の形状に合わせた三日月形であり、二重瞼の形成をより行いやすいと同時に、二重瞼形成ピース２を二重瞼の皺に隠して、二重瞼形成ピース２のインビジブル性を向上させる。また、他の実施形態における、二重瞼形成ピース２の形状が楕円形、逆台形、またはストレート形で構成されても良い。
【００１２】
図２に示すように、二重瞼形成ピース２には、セパレータ材１から、第一粘着剤層３と、ベースフィルム４と、カバーフィルム５とが順に積層されている。第一粘着剤層３はセパレータ材１に近い側に配置され、カバーフィルム５はセパレータ材１から離れた側に配置されている。さらに、ベースフィルム４の前記セパレータ材１から離れた側の表面には、印刷によって形成された凸起の印刷パターン６が設けられている。印刷パターン６とカバーフィルム５は第二粘着剤層７によって接着される。
【００１３】
本考案が提供する二重瞼形成用シートは、従来の技術と比べると、ベースフィルム４とカバーフィルム５の間に、ベースフィルム４から凸起して網状の紋様を有する印刷パターン６を設けることで、使用する際に、カバーフィルム５を軽く押圧すると、カバーフィルム５の外表面にも網状の紋様が形成されるため、二重瞼形成ピース２においての反射を減少しインビジブル性は向上される。さらに、イシャドーを塗る際に、アイシャドウスティック等のアイシャドウツールを用いて二重瞼形成ピース２のカバーフィルム５を押圧すると、カバーフィルム５はベースフィルム４に向かって押下され、カバーフィルム５の表面には印刷パターン６の凸起作用で、より深く網状の紋様が形成される。その結果、アイシャドウの塗布と着装は便利になるとともに、インビジブル性は更に向上される。また、カバーフィルム５の表面の紋様はアイメイクと合わせることより、メークはもっと綺麗になれる。
【００１４】
本実施形態において、図３に示されるように、印刷パターン６の紋様全体は、二重瞼形成ピース２にほぼまんべんなく配置されている。印刷パターン６の紋様全体の長手方向は、二重瞼形成ピース２の長手方向と一致する。他の実施形態において、印刷パターン６の紋様全体は、楕円形、円形、多角形またはそれらの組み合わせで形成されても良い。また、印刷パターン６の網目の一つあたりの面積は０．５〜１．０ｍｍ２であり、印刷パターン６の線幅は０．１〜０．２ｍｍである。このように設けることで、印刷パターン６の網目の形状と大きさは皮膚表面における紋様の形状と大きさに最も近くなる、すなわち、印刷パターン６は上瞼の皮膚表面と最も相似している。それによって、上瞼に貼着する際に、二重瞼形成ピース２のインビジブル性は最も向上される。
【００１５】
二重瞼形成ピース２の長さは１６〜２７ｍｍであり、幅は２〜３ｍｍであることが好ましい。第１実施形態において、二重瞼形成ピース２の長さは２４ｍｍであり、幅は２ｍｍである。二重瞼形成ピース２の形状及びサイズを適宜調整することにより、人々の目の形状に合わせて適切なものを選択することができるので、二重瞼形成ピース２は高い適用性と柔軟性を備える。
【００１６】
セパレータ材１の厚さは０．０７〜０．０９ｍｍであり、二重瞼形成ピース２の厚さは０．０９〜０．１１ｍｍであることが好ましい。第１実施形態において、セパレータ材１の厚さは０．０８ｍｍであり、二重瞼形成ピース２の厚さは０．１０ｍｍである。第一粘着剤層３と第二粘着剤層７の基材は３Ｍ（登録商標）テープであることが好ましい。
【００１７】
第１実施形態に係わる二重瞼形成用シートの使用方法及び本考案の効果は以下の通りである。
【００１８】
二重瞼形成ピース２をセパレータ材１より摘み剥がし、目頭から目尻まで上瞼を沿うように貼着する。二重瞼形成ピース２はアイラインより上に２〜３ｍｍのところに配置されることが好ましい。そして、専用ツールの押圧で二重瞼形成ピース２を上瞼にしっかり粘着する。ベースフィルム４とカバーフィルム５の印刷パターン６を設けることで、カバーフィルム５を軽く押圧すると、印刷パターン６の凸起よりカバーフィルム５の外表面にも網状の紋様が形成され、その上にアイメイクを施すことでテープを上瞼の皺に隠すことでできる。さらに、二重瞼形成ピース２においての反射を減少できるため、インビジブル性は向上する。美観も良くなる。その結果、二重瞼形成用シートの見た目もメーク全体もきれいになれる。
【００１９】
最後に、アイシャドウで瞼に着色する。印刷パターン６によってカバーフィルム５の外表面には網状の紋様が形成されることにより、アイシャドウの塗布及び着装はより確実になる。二重瞼形成ピース２のインビジブル性は向上され、メーク全体もきれいになる。
【００２０】
（第２実施形態）
本考案における第２実施形態はもう一つの二重瞼形成用シートを提供するものである。第２実施形態は第１実施形態に対しての改良であり、主な改良点は図４を用いて説明する。印刷パターン６のカバーフィルム５と隣接する側に、肌色に近いカラー隠れ層８が印刷されることが主な改良点である。肌色に近いカラー隠れ層８を設けることで、アイシャドウを施さずに二重瞼形成ピース２のカバーフィルム５が外部から見える場合であっても、インビジブル性が確保できる。印刷パターン６のカバーフィルム５と隣接する側にカラー隠れ層８が設置されることで、二重瞼形成ピース２における印刷パターン６の紋様と肌色の紋様と最も相似しているため、二重瞼形成ピース２のインビジブル性は確保されることになる。
【００２１】
カラー隠れ層８の色はブラウン、ベージュ、カーキ、グレーあるいは褐色のいずれかが好ましい。ブラウン、ベージュ、カーキ、グレーあるいは褐色はそれぞれ異なる肌色に近いため、様々な肌色を持つ人に適用でき、二重瞼形成ピース２のインビジブル性確保と、メイク効果の向上は期待できる。
【００２２】
（第３実施形態）
本考案における第３実施形態はもう一つの二重瞼形成用シートを提供する。第３実施形態は第１実施形態または第２実施形態に対しての改良であり、主な改良点は図５を用いて説明する。
【００２３】
図５に示すように、二重瞼形成ピース２の両端には丸みが設けられている。その場合、二重瞼形成ピース２の両端と瞼の接触の面積が大きいため、二重瞼形成ピース２の装着が簡単になる同時に、二重瞼形成ピース２の両端が浮いていくのを防げる。また、両端は丸みのため、ユーザーは二重瞼形成ピース２を瞼に装着する際に、両端の尖りで痛みを感じることもないため、使用にも好適である。
【００２４】
（第４実施形態）
本考案における第４実施形態は別の二重瞼形成用シートを提供する。第４実施形態は第１実施形態、第２実施形態あるいは第２実施形態のいずれかに対しての改良であり、二重瞼形成ピース２の形状は第１実施形態に開示した形状のいずれかである。主な改良点は図６と図７を用いて説明する。
【００２５】
通常、ユーザーによる剥離動作の便宜上、二重瞼形成ピース２とセパレータ材１との間の粘着力はあまり強くないため、二重瞼形成ピース２は、外力の作用によりセパレータ材１の表面上において、位置ズレが生じて、または、二重瞼形成ピース２の両端が浮いた場合、二重瞼形成ピース２とセパレータ材１との間に埃や水分が入り込んで第１粘着剤層３と接触することがある。その結果、二重瞼形成ピースが汚され、第１粘着剤層３の粘着性が低下してしまう。上述のような問題を解決するために、図７に示すように、本実施形態における、セパレータ材１には、二重瞼形成ピース２の形と大きさに合わせた位置決め溝１０が設けられ、位置決め溝１０の深さは二重瞼形成ピース２の厚みより浅い、そして、二重瞼形成ピース２は位置決め溝１０の中に設置される。位置決め溝１０を設けることにより、二重瞼形成ピース２のシフト及び位置ズレを防ぎ、さらに、第１粘着剤層３と埃や水との接触を防げるため、二重瞼形成ピース２はしっかりセパレータ材１に付着できる。その結果、二重瞼形成用シートの使用前の品質を保証できる。さらに、第１粘着剤層３と埃や水との接触を防止することで、第１粘着剤層３の粘着性を確保できで、二重瞼形成ピース２を汚れによって無駄にすることがない。
【００２６】
（第５実施形態）
本考案における第５実施形態は別の二重瞼形成用シートを提供する。第５実施形態は第１〜第４実施形態のいずれかに対しての改良である。第５実施形態における、主な改良点は図８に示すように、二重瞼形成ピース２の厚みが中央から周辺に向かって減少させることである。すなわち、二重瞼形成ピース２は中央が厚くて、周りが薄いように構成される。周りが薄い構造とされることにより、二重瞼形成ピース２の両端が浮いていくのを防ぎ、しっかりと瞼に貼り付けることができるので、インビジブル性が良い。また、周りが薄い二重瞼形成ピース２でアイシャドウの塗布は自然になる。その結果、二重瞼形成ピース２のインビジブル性はより向上される。
【００２７】
上述の実施形態では、読者が本出願の内容を理解できるように多くの構成上における細かい点について説明したが、当業者であれば、これら構成上における細かい点の説明がなくても、或いは本願の実施形態基づく変化及び改良であっても、本願の請求項の保護範囲に属するものと理解できる。また、本考案は、以上に説明するような実施形態に限定されるものではなく、本考案の趣旨を逸脱しない範囲で様々の態様は含まれることは言うまでもない。
【符号の説明】
【００２８】
１    セパレータ材
２    二重瞼形成ピース
３    第一粘着剤層
４    ベースフィルム
６    印刷パターン
７    第二粘着剤層
８    カラー隠れ層
９    丸み
１０    位置決め溝
【図１】
0003217313.tif 000003
【図２】
0003217313.tif 000004
【図３】
0003217313.tif 000005
【図４】
0003217313.tif 000006
【図５】
0003217313.tif 000007
【図６】
0003217313.tif 000008
【図７】
0003217313.tif 000009
【図８】
0003217313.tif 000010